(57)【要約】【課題】電気製品の電線が過熱すると変色してユーザに警告する感温変色機能を有する上、感温変色機能が減退したときに交換できる、電線の発火を防ぐ警告装置を提供する。【解決手段】電線の発火を防ぐ警告装置は、下地層１を含む。下地層１の一端面には、識別表示層３が形成される。識別表示層３は、少なくとも１つの識別パターン３１，３２を含む。下地層１の識別表示層３が形成された側の端面には、感温変色層４が結合される。感温変色層４は、少なくとも１つの感温変色部４１，４２を含み、識別パターン３１，３２上が感温変色部４１，４２により覆われる。識別表示層３は、表示年月日３５を含む。表示年月日３５は、製造年月日及び有効年月日のうちの少なくとも１つを含む。【選択図】図１
0003202334.tif 000002
【実用新案登録請求の範囲】
【請求項１】
下地層を含み、
前記下地層の一端面には、識別表示層が形成され、
前記識別表示層は、少なくとも１つの識別パターンを含み、
前記下地層の前記識別表示層が形成された側の端面には、感温変色層が結合され、
前記感温変色層は、少なくとも１つの感温変色部を含み、
前記識別パターン上が前記感温変色部により覆われることを特徴とする、
電線の発火を防ぐ警告装置。
【請求項２】
前記識別表示層は、互いに異なる複数の識別パターンを含み、前記感温変色層は、互いに異なる変色温度を有する複数の前記感温変色部を含み、前記識別パターン上が前記感温変色部によりそれぞれ覆われ、前記識別パターンの色がそれぞれ異なるようにし、前記識別表示層の前記識別パターン脇には、表示警告文が記載されることを特徴とする請求項１に記載の電線の発火を防ぐ警告装置。
【請求項３】
前記識別表示層は、表示年月日を含み、前記表示年月日は、製造年月日及び有効年月日のうちの少なくとも１つを含むことを特徴とする請求項１に記載の電線の発火を防ぐ警告装置。
【考案の詳細な説明】
【技術分野】
【０００１】
本考案は、電線の発火を防ぐ警告装置に関し、特に、電気製品の電線が過熱すると変色してユーザに警告する感温変色機能を有する上、感温変色機能が減退したときに交換できる、電線の発火を防ぐ警告装置に関する。
【背景技術】
【０００２】
電力の使用と現代人の生活とは密接な関係にあり、各種電気製品の大部分は、電線を介して商用電源のプラグに接続され、電線を介して電気製品に電力を供給する。一般の電線には定格の電圧及び電流容量があり、電線が送る電圧及び電流が定格負荷を超えた場合、電線内の芯線が発熱して芯線の外側を覆う絶縁層が溶けて電線が発火し、生命及び財産を失う虞があった。
【０００３】
しかし、一般のユーザは、電気の規格に関する知識が余り無く、電線への負荷が大きくなりすぎたり過熱しすぎたりしても気づきにくく、電線が発火してしまう虞があった。一部のメーカーの従来技術は、電線の絶縁層に感温変色インキを浸み込ませたり浸漬したりし、電線を流れる電圧及び電流が負荷を超えたときなどに電線内の芯線が発熱して温度が異常なほど変化すると、絶縁層内の感温変色インキの色が変化してユーザに警告し、ユーザは目視により電線の負荷又は温度が大きくなりすぎたことを知ることができる。そのため、電線が発火することを効果的に防ぐことができる。
【０００４】
しかし実際に使用すると分かるように、電線の絶縁層に感温変色インキを浸み込ませたり浸漬したりする方式は、コストが高い上、感温変色インキが一定時間（約１．５年）経つと変質して感温変色機能が大幅に減退し、電線の負荷、温度が高くなっても感温変色インキが変色しなくなってから警告機能が失われたことを知ることができるが、一定期間経つ毎に電気製品の電線を新しい物と交換することは非常に不便で、維持コストの負担が発生するため、実際に行うことは容易でなかった。
【０００５】
そのため本考案者は、電線絶縁層に感温変色インキを浸み込ませたり浸漬したりする従来の方式に鑑み、当該分野における長年の豊富な設計・開発、並びに実際の製作経験に基づいて研究・改良を行い、より実用的で価値のある本考案を創作した。
【考案の概要】
【考案が解決しようとする課題】
【０００６】
本考案の目的は、電気製品の電線が過熱すると変色してユーザに警告する感温変色機能を有する上、感温変色機能が減退したときに交換できる、電線の発火を防ぐ警告装置を提供することにある。
【課題を解決するための手段】
【０００７】
上記課題を解決するための本考案の第１の形態によれば、下地層を含み、前記下地層の一端面には、識別表示層が形成され、前記識別表示層は、少なくとも１つの識別パターンを含み、前記下地層の前記識別表示層が形成された側の端面には、感温変色層が結合され、前記感温変色層は、少なくとも１つの感温変色部を含み、前記識別パターン上が前記感温変色部により覆われることを特徴とする電線の発火を防ぐ警告装置が提供される。
【０００８】
前記識別表示層は、互いに異なる複数の識別パターンを含み、前記感温変色層は、互いに異なる変色温度を有する複数の前記感温変色部を含み、前記識別パターン上が前記感温変色部によりそれぞれ覆われ、前記識別パターンの色がそれぞれ異なるようにし、前記識別表示層の前記識別パターン脇には、表示警告文が記載されることが好ましい。
【０００９】
前記識別表示層は、表示年月日を含み、前記表示年月日は、製造年月日及び有効年月日のうちの少なくとも１つを含むことが好ましい。
【考案の効果】
【００１０】
本考案の電線の発火を防ぐ警告装置は、実際に使用する際、電気製品の電線又はプラグに貼付け、電線を流れる電圧、電流が定格負荷を超えるか、電線が過熱して高温が発生し、温度が感温変色部に設定した温度に達したときに感温変色部の色が透明に変化し、感温変色部が覆う識別パターンが現れる。このため、ユーザが目視により電気製品の電線が過熱していることを知ると、電線が発火しないように対処することができる上、感温変色部が変質して感温変色機能が減退すると、電気製品の電線などから剥して新たな物と交換することができるため、警告機能の維持が容易である。
【図面の簡単な説明】
【００１１】
【図１】本考案の一実施形態に係る電線の発火を防ぐ警告装置を示す正面図である。
【図２】本考案の一実施形態に係る電線の発火を防ぐ警告装置を示す断面図である。
【図３】本考案の一実施形態に係る電線の発火を防ぐ警告装置の使用状態を示す説明図（１）である。
【図４】本考案の一実施形態に係る電線の発火を防ぐ警告装置の使用状態を示す説明図（２）である。
【図５】本考案の一実施形態に係る電線の発火を防ぐ警告装置の使用状態を示す説明図（３）である。
【考案を実施するための形態】
【００１２】
以下、本考案の実施形態について図に基づいて説明する。なお、これによって本考案が限定されるものではない。
【００１３】
図１及び図２を参照する。図１及び図２に示すように、本考案の一実施形態に係る電線の発火を防ぐ警告装置は、粘着シート状の下地層１を有する。
下地層１の一方の端面には、粘着層２が結合され、下地層１の他方の端面には、識別表示層３がスクリーン印刷される。本実施形態の識別表示層３は、色がそれぞれ異なる第１の識別パターン３１及び第２の識別パターン３２を含み、第１の識別パターン３１及び第２の識別パターン３２脇には、それに属する表示警告文３３と、それに対応した色の対照パターン３４とが印刷される。第１の識別パターン３１は黄色であり、第２の識別パターン３２は赤色である。黄色の第１の識別パターン３１脇の表示警告文３３は「注意」でもよい。対照パターン３４は、黄丸でもよい。赤色の第２の識別パターン３２脇の表示警告文３３は「危険」でもよい。対照パターン３４は赤丸でもよい。
下地層１の端面の他方の側部には、表示年月日３５が印刷される。表示年月日３５は、製造年月日及び有効年月日のうちの少なくとも１つを含む。下地層１の識別表示層３に設けられた端面には、感温変色層４が結合されている。感温変色層４は、下地層１上にスクリーン印刷される感温変色インキでもよく、変色温度がそれぞれ異なる第１の感温変色部４１及び第２の感温変色部４２を含む。第１の感温変色部４１により第１の識別パターン３１を覆い、第２の感温変色部４２により第２の識別パターン３２を覆う。第１の感温変色部４１の変色温度は６０℃に設定され、第２の感温変色部４２の変色温度は７０℃に設定され、その変色温度に達すると色が透明に変わり、覆われた第１の識別パターン３１及び第２の識別パターン３２が現れる。
【００１４】
図３を併せて参照する。実際に使用する際、本実施形態に係る電線の発火を防ぐ警告装置は、粘着層２を介して電気製品の電線又はプラグに容易に接着され、電気製品を使用して電線の電圧、電流が定格負荷を超えたり、電線の芯線が半断線して電線絶縁層が破損して短絡などが発生したりして電線内の芯線が過熱して高温になると、電線又はプラグに貼り付けた電線の発火を防ぐ警告装置に熱エネルギーが伝わる。
図４に示すように、温度が６０℃に達すると、第１の感温変色部４１の色が透明に変化し、それが覆う第１の識別パターン３１が現れる。このとき脇の「注意」の表示警告文３３と合わせ、ユーザは目視により電気製品の電線が過熱状態にあることを知ることができ、ユーザに使用上の注意を喚起することができる。
図５を併せて参照する。本考案に伝わる温度が７０℃に達すると、本考案の第２の感温変色部４２の色が透明に変化し、それが覆う第２の識別パターン３２が現れ、第２の識別パターン３２脇の「危険」の表示警告文３３と合わせ、ユーザは電気製品の電線がすでに過熱状態にあることを知り、電線内の芯線が高温に維持され続けて電線の絶縁層が燃焼溶融して発火し、火災が起きることを防ぐために、電気製品の使用を直ちに止めて電線を商用電源のプラグから抜く。
【００１５】
本考案の下地層１上には、本考案の製造年月日及び有効期限の年月日が印刷されているため、ユーザは、本考案の有効期限を明確に知ることができる。有効期限が過ぎると、感温変色層４の感温変色インキが変質し、感温変色機能が減退すると、ユーザは、本考案を電気製品の電線又はプラグから剥して有効期限を超えていないものを新たに電気製品の電線又はプラグに貼り付ける。
このように、ユーザに提供する感温変色インキが変質して機能が減退したときに、電気製品の電線全体を交換しなくとも機能の更新を容易にすることができるため、利便性を大幅に高めて維持コストを大幅に減らすことができる。
【００１６】
上述した実施形態及び図面は、本考案の電線の発火を防ぐ警告装置を限定するものではない。例えば、本実施形態では、識別表示層３が第１の識別パターン３１及び第２の識別パターン３２と、第１の感温変色部４１及び第２の感温変色部４２、並びに２組の表示警告文３３、対照パターン３４に設けられているが、これだけに限定されるわけではなく、「危険」な状態である認識パターン、表示警告文３３、対照パターン及び感温変色部を設けてもよいし、１〜４種類の互いに色が異なる認識パターン及び互いに異なる色に変色する感温変色部などにしても良い。即ち、当業者が本考案の主旨と領域を逸脱しない範囲内で各種の変更や修正を加えたものも、本考案の電線の発火を防ぐ警告装置の範囲に含まれるものと広く解釈されるべきである。
【符号の説明】
【００１７】
１    下地層
２    粘着層
３    識別表示層
４    感温変色層
３１  第１の識別パターン
３２  第２の識別パターン
３３  表示警告文
３４  対照パターン
３５  表示年月日
４１  第１の感温変色部
４２  第２の感温変色部
【図１】
0003202334.tif 000003
【図２】
0003202334.tif 000004
【図３】
0003202334.tif 000005
【図４】
0003202334.tif 000006
【図５】
0003202334.tif 000007